(57)【要約】【課題】簡易な構成で可動障子の不具合を感知し、可動障子の落下の発生を予防することができる上げ下げ障子を備える開口部装置を提供する。【解決手段】一対の縦枠２１、２４、上横枠２７及び下横枠２８が枠状に組み合わされて形成される枠体２０と、枠体の枠内に具備され、複数のワイヤ７３、７４を有して任意の位置に保持可能とされつつ、縦枠に沿って移動可能に設けられた少なくとも１つの可動障子３０とを備え、縦枠には、その長手方向に沿ってガイド溝２３ｐ、２６ｐが形成され、該ガイド溝の底部の一部には係合孔２３ｇ、２６ｇが設けられ、可動障子には、ガイド溝の内側を移動可能であるとともに、係合孔に係合可能な大きさのガイド３６、３７、３８、３９が具備され、該ガイドの少なくとも１つ３６、３７は、係合孔の設けられたガイド溝の部位を移動の軌道に含むものとする。【選択図】図４
2010275788.tif 000002
【特許請求の範囲】
【請求項１】
一対の縦枠、上横枠及び下横枠が枠状に組み合わされて形成される枠体と、
前記枠体の枠内に具備され、複数のワイヤを有して任意の位置に保持可能とされつつ、前記縦枠に沿って移動可能に設けられた少なくとも１つの可動障子と、を備える開口部装置であって、
少なくとも一方の前記縦枠には、その長手方向に沿ってガイド溝が形成されるとともに、該ガイド溝の底部の一部には係合孔が設けられ、
前記可動障子には、前記ガイド溝の内側を移動可能であるとともに、前記係合孔に係合可能な大きさのガイドが具備され、該ガイドの少なくとも１つは、前記係合孔の設けられた前記ガイド溝の部位を移動の軌道に含む、開口部装置。
【請求項２】
前記ガイド溝の前記係合孔は、前記縦枠のうち開口部装置が建物に取り付けられた姿勢における上部に相当する部位に設けられ、前記係合孔に係合可能な前記ガイドが前記可動障子の上端に設けられている、請求項１に記載の開口部装置。
【発明の詳細な説明】
【技術分野】
【０００１】
本発明は、上げ下げ式に移動可能な可動障子を備える開口部装置に関する。
【背景技術】
【０００２】
近年における建築物の多様化により、ここに用いられる窓、扉等の開口部装置も多種多様なものが提案されている。このような開口部装置の中に、障子を上げ下げして可動とし、開口部の開放、閉鎖を可能とするものがある。これによれば、上げ下げ可能に設けられた障子を、開放の姿勢で保持することにより、室内外を連通させることができる。
【０００３】
上げ下げ可能な障子を開放の姿勢で保持するための手段にもいつくかの種類が提案されているが、ワイヤにより障子を吊ることにより、当該保持をするものがある。これによれば、障子を任意の位置に保持することが可能であり、利用者の利便性が高い。ワイヤをどのように用いるかに関してもいくつかの種類があり、例えば、バランサを用いたものや、室内外の２枚の障子をワイヤで連結してバランスをとりつつ連動させるもの等を挙げることができる。
【０００４】
このような開口部装置においては、いずれの場合も、万が一ワイヤが切れたときには、吊られている障子が落下してしまう問題があった。このような問題を解消するために、例えば特許文献１には可動障子の落下防止機構が開示されている。当該落下防止機構は、該落下防止機構に備えられる爪等の作用により可動障子の下降を阻止するというものである。
【先行技術文献】
【特許文献】
【０００５】
【特許文献１】特開２００８‐２２３４１３号公報
【発明の開示】
【発明が解決しようとする課題】
【０００６】
上記のような従来の落下防止機構によっても、ワイヤの切断が生じたときの可動障子の落下を防止させることは可能であるが、当該防止機構を追加して設置する必要があった。これに対してさらに簡易的に可動障子の落下を防止する手段が求められていた。
【０００７】
ところで、このようなワイヤは、可動障子の左右に１つずつ、すなわち２つ備えられているのが通常である。そして、当該ワイヤが切れる場合には、はじめにいずれか一方が切れ、これに気がつかずに障子の上げ下げをしているうちに他方も切れてしまう態様が多い。ワイヤの一方が切れていても、上げ下げ障子はガイド溝によりガイドされているので、通常に操作することができるからである。
【０００８】
従って、可動障子が落下する状態になる前に、ワイヤが１つ切れたときにできるだけ早くこれに気がついて対処できればよいといえる。これにより落下の発生そのものを防止することが可能となる。
【０００９】
そこで本発明は、簡易な構成で可動障子の不具合を感知し、可動障子の落下の発生を予防することができる上げ下げ障子を備える開口部装置を提供することを課題とする。
【課題を解決するための手段】
【００１０】
以下、本発明について説明する。なお、本発明の理解を容易にするために添付図面の参照符号を括弧書きにて付記するが、それにより本発明が図示の形態に限定されるものではない。
【００１１】
請求項１に記載の発明は、一対の縦枠（２１、２４）、上横枠（２７）及び下横枠（２８）が枠状に組み合わされて形成される枠体（２０）と、枠体の枠内に具備され、複数のワイヤ（７３、７４）を有して任意の位置に保持可能とされつつ、縦枠に沿って移動可能に設けられた少なくとも１つの可動障子（３０、５０）と、を備える開口部装置（１）であって、少なくとも一方の縦枠には、その長手方向に沿ってガイド溝（２３ｐ、２６ｐ）が形成されるとともに、該ガイド溝の底部の一部には係合孔（２３ｇ、２６ｇ）が設けられ、可動障子には、ガイド溝の内側を移動可能であるとともに、係合孔に係合可能な大きさのガイド（３６、３７、３８、３９）が具備され、該ガイドの少なくとも１つ（３６、３７）は、係合孔の設けられたガイド溝の部位を移動の軌道に含む、開口部装置を提供することにより前記課題を解決する。
【００１２】
請求項２に記載の発明は、請求項１に記載の開口部装置（１）において、ガイド溝（２３ｐ、２６ｐ）の係合孔（２３ｇ、２６ｇ）は、縦枠（２１、２４）のうち開口部装置が建物に取り付けられた姿勢における上部に相当する部位に設けられ、係合孔に係合可能なガイド（３６、３７）が可動障子（３０）の上端に設けられていることを特徴とする。
【発明の効果】
【００１３】
本発明によれば、簡易な構成で可動障子の不具合を感知し、可動障子の落下の発生を予防することができる上げ下げ障子を備える開口部装置を提供することが可能となる。
【図面の簡単な説明】
【００１４】
【図１】１つの実施形態に係る開口部装置の室内側正面図（図１（ａ））、及び室外側正面図（図１（ｂ））ある。
【図２】図１に示した開口部装置の垂直方向断面図である。
【図３】図１に示した開口部装置の水平方向断面図である。
【図４】図１に示した開口部装置の係合孔が表れる他の水平方向断面図である。
【図５】図３、図４に示した断面図の一部を拡大して示した図である。
【図６】スイング縦枠のうち、係合孔が表れる面を正面とした外観図である。
【図７】上障子、並びに下障子の構成、及びにその移動について説明する図である。
【図８】開口部装置の不具合を感知するための機構について説明するための図で、図８（ａ）が正常時、図８（ｂ）が不具合を生じたときの図である。
【図９】ガイドの形状例を説明するための図である。
【発明を実施するための形態】
【００１５】
本発明の上記した作用及び利得は、次に説明する発明を実施するための形態から明らかにされる。以下本発明を図面に示す実施形態に基づき説明する。
【００１６】
図１は１つの実施形態にかかる開口部装置１を正面から見た図で、図１（ａ）が室内側から見た図、図１（ｂ）は室外側から見た図である。
図２は、開口部装置１の垂直断面図であり、紙面左が室外側、紙面右が室内側である。
図３は、開口部装置１の水平断面図であり、紙面上が室外側、紙面下が室内側である。
図４は、開口部装置１の他の水平断面図であり、スイング枠の吊元側縦枠に備えられる係合孔２３ｇ、及びスイング枠の戸先側縦枠の係合孔２６ｇを含む水平断面図ある。図４も紙面上が室外側、紙面下が室内側である。
以下、図１〜図４及び適宜示す図を参照しつつ開口部装置１について説明する。
【００１７】
開口部装置１は、固定枠体１０、スイング枠２０、上障子３０、下障子５０、及び隠蔽部材８０を備えている。すなわち、開口部装置１は枠体１０の枠内に具備されたスイング式に開閉するスイング枠２０が設けられ、該スイング枠２０内にさらに上げ下げ可能に可動障子である上障子３０及び下障子５０が備えられている。
【００１８】
固定枠体１０は、枠材である固定縦枠１１、１２、固定上横枠１３、及び固定下横枠１４が枠状に組み合わされて形成される枠状体である。当該固定枠体１０が建物の開口部の縁に沿って取り付けられることにより、開口部装置１が建物に固定される。固定枠体１０は、通常の開口部装置に用いられる枠体と同様のものを用いることができる。
【００１９】
ここで図２からわかるように、固定上横枠１３の吊元側端部にはスイング枠２０に設けられたピボットヒンジのピボット軸６を受け入れる軸受７が具備されている。また、固定下横枠１４の吊元側端部には、ピボットヒンジのピボット軸８が配置されている。後述するように、当該ピボットヒンジを軸としてスイング枠２０がスイング式に開閉可能に固定枠体１０内に配置される。
【００２０】
スイング枠２０は、吊元側縦枠２１、戸先側縦枠２４、スイング上横枠２７、及びスイング下横枠２８を備え、これらが枠状に組み合わせられて形成されている。スイング枠２０は、固定枠体１０にスイング式に開閉可能に取り付けられるとともに、その枠内に可動障子である上障子３０及び下障子５０を上げ下げ可能とするガイド溝も有している。
【００２１】
吊元側縦枠２１は、長尺の枠材であり、図３、図４に示したような断面を有して形成されている。また、わかりやすさのため図５には、図３、図４のうち当該吊元側縦枠２１側に注目した拡大図を示した。図５（ａ）は図３に対応する図、図５（ｂ）は図４に対応する図である。吊元側縦枠２１は、図３〜図５にその断面が表れているように、長手方向に直交する断面において、軸側枠部材２２とガイドレール部材２３とが見付方向に組み合わされて形成されている。
【００２２】
軸側枠部材２２は、略矩形中空に設けられた中空部２２ａを具備している。当該中空部２２ａにおける図３〜図５に破線円形で示した部位を軸としてスイング枠２０が固定枠体１０に対してスイング式に開閉可能とされている。また、中空部２２ａの室内側で見付方向外側の角部はスイング式の開閉の際に固定枠体１０に接触しないように円弧状に形成されている。加えて、中空部２２ａの室内側片と室外側片のそれぞれからは見付方向内側に向けて片２２ｂ、２２ｃが延在する。
【００２３】
ガイドレール部材２３は、見込み方向に延在する片２３ａを有し、該片２３ａの一方の面から見付方向内側に向けて所定の間隔を有して片２３ｂ、２３ｃ、２３ｄが並列して立設されている。これにより見込み方向に並列される２つのガイド溝２３ｐ、２３ｑが形成される。すなわち、片２３ｂ、２３ａ、２３ｃで形成される室外側のガイド溝２３ｐ、片２３ｃ、２３ａ、２３ｄで形成される室内側のガイド溝２３ｑである。また、片２３ａの他方の面からは係合片２３ｅ、２３ｆが立設され、上記軸側枠部材２２の片２２ｂ、２２ｃに係合して軸側枠部材２２とガイドレール部材２３とが連結される。
【００２４】
さらに、図４、図５（ｂ）からわかるようにガイドレール部材２３の片２３ａのうちの一部には係合孔２３ｇが設けられている。図６には、図４、図５（ｂ）に矢印ＶＩで示した方向から見た吊元側縦枠２１を示した。図４〜図６からわかるように、係合孔２３ｇは、片２３ａのうち片２３ｂと片２３ｃとの間であるガイド溝２３ｐで、吊元側縦枠２１の長手方向の上部に設けられている。具体的には、後述する上障子３０の上部ガイド３６が移動するガイド溝２３ｐの範囲のいずれかに設けられている。また係合孔２３ｇの大きさは、当該上部ガイド３６がその内側に入ることができるように形成される。
【００２５】
当該係合孔２３ｇにより、可動障子の不具合を感知し、可動障子の落下の発生を予防することが可能となる。詳しくは後で説明する。
【００２６】
戸先側縦枠２４は、長尺の枠材であり、図３又は図４に示したような断面を有して形成されている。戸先側縦枠２４は、長手方向に直交する断面において、戸先枠部材２５とガイドレール部材２６とが見付方向に係合されて形成されている。
【００２７】
戸先枠部材２５は、略矩形中空に設けられた中空部２５ａを具備している。当該中空部２５ａには、取っ手１５、１５が設けられ（図１も参照）、使用者はここをつかんで上障子３０、下障子５０を含むスイング枠２０をスイング式に開閉させることができる。従って、中空部２５ａの内部には不図示のラッチ機構、錠装置等が配置されている。また、中空部２５ａの室内側片と室外側片のそれぞれからは見付方向内側に向けて片２５ｂ、２５ｃが延在する。
【００２８】
ガイドレール部材２６は、見込み方向に延在する片２６ａを有し、該片２６ａの一方の面から見付方向内側に向けて所定の間隔を有して片２６ｂ、２６ｃ、２６ｄが並列して立設されている。これにより見込み方向に並列される２つのガイド溝２６ｐ、２６ｑが形成される。すなわち、片２６ｂ、２６ａ、２６ｃで形成される室外側のガイド溝２６ｐ、片２６ｃ、２６ａ、２６ｄで形成される室内側のガイド溝２６ｑである。また、片２６ａの他方の面からは係合片２６ｅ、２６ｆが立設され、上記戸先枠部材２５の片２５ｂ、２５ｃに係合して戸先枠部材２５とガイドレール部材２６とが連結される。
【００２９】
さらに、図４からわかるようにガイドレール部材２６のガイド溝２６ｐのうちの片２６ａ一部には係合孔２６ｇが設けられている。係合孔２６ｇは係合孔２３ｇに対向する位置に設けられている。その位置や大きさ等は上記係合孔２３ｇと同じ趣旨で設けられているのでここでは説明を省略する。
【００３０】
また、ガイドレール部材２３、２６には、後述するローラ７０、７１が備えられる（図７参照）。ここでは見やすさのため、当該ローラ７０、７１は省略している。
【００３１】
スイング上横枠２７は、長尺の枠材であり、図２に表れる断面を有して形成されている。スイング上横枠２７は、長手方向に直交する断面において、矩形中空に備えられた中空部２７ａを有し、その下端部に上障子３０の上端が接触し、これにより閉鎖の姿勢となる。また、中空部２７ａの室内側面と固定上横枠１３とを渡すように不図示のドアクローザが取り付けられ、利用者の利便が図られている。
【００３２】
さらに、スイング上横枠２７の吊元側端部には図２に表れているようにピボットヒンジのピボット軸６が配置され、固定上横枠１３の軸受け７と合わせられてスイングの軸となる。
【００３３】
スイング下横枠２８は、長尺の枠材であり、図２に表れる断面を有して形成されている。スイング下横枠２８は、長手方向に直交する断面において、矩形中空に備えられた中空部２８ａを有している。当該中空部２８ａの上端部に下障子５０の下端が接触し、これにより閉鎖の姿勢となる。また、スイング下横枠２８の吊元側端部には図２に表れているようにピボットヒンジの軸受け９が配置され、固定下横枠１４のピボット軸８と合わせられてスイングの軸となる。
【００３４】
次に上障子３０、及び下障子５０について説明する。図７には、上障子３０及び下障子５０に注目した室外側から見た斜視図を示した。図７（ａ）が閉鎖の姿勢、図７（ｂ）が開放の姿勢の一例を表している。
【００３５】
上障子３０は、室外側に備えられ、閉鎖の姿勢で上部に配置される障子であり、図１〜図５、図７に表れているように、縦框３１、３２、上横框３３、下横框３４を枠状に組み合わせた框体３５と、框体３５の枠状の内側に配置されるガラスパネル４９とを備えている。また框体３５の４隅には、上横框３３、又は下横框３４を長手方向に延長する方向に突出するブロック状のガイド（３６、３７、３８、３９）が設けられている。ここで、上横框３３を延長する方向に設けられたガイドは上部ガイド３６、３７であり、下横枠３４を延長する方向に設けられたガイドは下部ガイド３８、３９である。
【００３６】
上部ガイド３６、３７、及び下部ガイド３８、３９の大きさは、これらガイドが上記吊元側縦枠２１、戸先側縦枠２４の室外側のガイド溝であるガイド溝２３ｐ、２６ｐ内を移動可能であればよい。これにより上障子３０が吊元側縦枠２１、戸先側縦枠２４に沿って上下に移動することが可能となる。なお、下部ガイド３８、３９は、上障子３０のがたつき防止の観点から、上障子３０の円滑な移動を妨げない範囲で、見付方向及び見込み方向いずれも大きい方がよい。一方、上部ガイド３６、３７については、後述するように、不具合の発生時において当該上部ガイド３６、３７が係合孔２３ｇ、２６ｇに係合するように構成されているため、正常時における誤動作を回避する観点から、当該上部ガイド３６、３７の見付方向の大きさは、小さく形成することが好ましい（図５（ａ）における矢印Ｖ参照）。
【００３７】
また、本実施形態では図２、図３からわかるように、上障子３０のガラスパネル４９は、その端部が縦框３１、３２、上横框３３、下横框３４に差し込まれるとともに、接着剤により直接該框に接着されている。すなわち従来のようなグレージングチャンネルを介してガラスパネルが框に取り付けられる構成ではない。これにより、框の見付方向、及び見込み方向の大きさを小さくすることが可能となる。
ただし、本発明においてグレージングチャンネルを用いたガラスパネルと框との取り付け構造を妨げるものではなく、このような従来の構造であってもよい。本実施形態では、上記したように、框の見付方向、及び見込み方向の大きさを小さくすることができるとの観点から好ましい例として説明した。
【００３８】
下障子５０は、室内側に備えられるとともに閉鎖の姿勢では下部に配置される障子であり、図１〜図５及び図７に表れているように、縦框５１、５２、上横框５３、下横框５４を枠状に組み合わせた框体５５と、框体５５の枠状の内側に配置されるガラスパネル６９とを備えている。また框体５５の４隅には、上横框５３、又は下横框５４を長手方向に延長する方向に突出するブロック状のガイド（５６、５７、５８、５９）が設けられている。ここで、上横框５３を延長する方向に設けられたガイドは上部ガイド５６、５７であり（上部ガイド５６は死角により見えない。）、下横枠５４を延長する方向に設けられたガイドは下部ガイド５８、５９である。
【００３９】
上部ガイド５６、５７、及び下部ガイド５８、５９の大きさは、これらガイドが上記吊元側縦枠２１、戸先側縦枠２４のガイド溝２３ｑ、２６ｑ内を移動可能であればよい。これにより下障子５０が吊元側縦枠２１、戸先側縦枠２４に沿って上下に移動することが可能となる。なお、上部及び下部ガイド５６、５７、５８、５９は、下障子５０のがたつき防止の観点から、下障子５０の円滑な移動を妨げない範囲で、見付方向及び見込み方向いずれも大きい方がよい。ただし、上部ガイド５６、５７は、ローラ７０、７１に接触しないような大きさ、形状とされている。
【００４０】
また、本実施形態の下障子５０では、上障子３０と同様に、図２、図３からわかるように、ガラスパネル６９は、その端部が縦框５１、５２、上横框５３、下横框５４に差し込まれるとともに、接着剤により直接該框に接着されている。すなわち従来のようなグレージングチャンネルを介してガラスパネルが框に取り付けられる構成ではない。これにより、框の見付方向、及び見込み方向の大きさを小さくすることが可能となる。
ただし、本発明においてグレージングチャンネルを用いたガラスパネルと框との取り付け構造を妨げるものではなく、このような従来の構造であってもよい。本実施形態では、上記したように、框の見付方向、及び見込み方向の大きさを小さくすることができるとの観点から好ましい例として説明した。
【００４１】
このように形成された上障子３０及び下障子５０は次のように上げ下げ可能とされている。すなわち、図７に示したように、滑車を具備するローラ７０、７１が吊元側縦枠２１、戸先側縦枠２４の長手方向略中央に取り付けられる（図７では一方のローラ７０のみが見え、ローラ７１は死角となって見えない。ただし構造は同じである。）。そしてワイヤ７３がローラ７０の滑車に引っ掛けられ、該ワイヤ７３の一端が下障子５０の下部ガイド５９に、他端が上障子３０の下部ガイド３９にそれぞれ固定される。同様に、図７では死角となって見えないが、ワイヤ７４がローラ７１の滑車に引っ掛けられ、該ワイヤ７４の一端が下障子５０の下部ガイド５８に、他端が上障子３０の下部ガイド３８にそれぞれ固定される。
【００４２】
このような構成により、例えば図７（ａ）に示した閉鎖の姿勢から下障子５０を上方に開放させる。すると、下部ガイド５８、５９が上がり、ワイヤ７３、７４の張力が下がり、これと釣り合っていた上障子３０が重力により下がる。これにより上障子３０及び下障子５０は、連動して図７（ｂ）に表したように開放の姿勢となる。
【００４３】
このとき、上障子３０のガイド３６、３８は吊元側縦枠２１の室外側のガイド溝２３ｐを移動し、上障子３０のガイド３７、３９は戸先側縦枠２４の室外側のガイド溝２６ｐを移動する。一方、下障子５０のガイド５６、５８は吊元側縦枠２１の室内側のガイド溝２３ｑを移動し、下障子５０のガイド５７、５９は戸先側縦枠２４の室内側ガイド溝２６ｑを移動する。
【００４４】
逆に、図７（ｂ）の姿勢から下障子５０を下方に移動させると、ワイヤ７３、７４により引っ張られ、上障子５０は上方に移動し、上記と逆の移動をすることによって上障子３０及び下障子５０は連動して図７（ａ）の閉鎖の姿勢に戻る。
【００４５】
ここで、上記のような通常の開閉において上障子３０の上部ガイド３６、３７は、その移動中に吊元側縦枠２１、戸先側縦枠２４に設けられた係合孔２３ｇ、２６ｇに係合することなく該係合孔２３ｇ、２６ｇの前を通過する。詳しくは後で説明する。
【００４６】
引き続き開口部装置１の構成について説明する。図１〜図３からわかるように、開口部装置１はさらにその室外側に隠蔽部材８０を具備している。隠蔽部材８０はスイング枠体２０の室外側から被せるように該スイング枠体２０に取り付けられる部材である。隠蔽部材８０は、所定の間隔を有して上下方向に並列される横長矩形の隠蔽板８１、８１、…を具備している。これにより、室外視から室内を隠蔽することが可能となる。また、隠蔽板８１、８１、…の室内側には網材８２が張られ、害虫の侵入を防止している。
【００４７】
本実施形態では上記したように上障子３０及び下障子５０において、そのガラスパネル４９、６９を直接に框体３５、５５の内側に配置して接着しているので、見込み方向にもその厚さを薄くすることが可能となった。これによりスイング枠体２０の室外側において室外側に突出する部材をなくすことができるので、図２にＩＩで示した大きさを薄く抑えることが可能となった。
【００４８】
上記の構成を備える開口部装置１により、簡易な構成で可動障子の不具合を感知し、可動障子の落下の発生を予防することができる。
【００４９】
次に、どのように開口部装置１の不具合を感知し、可動障子の落下の発生を予防することができるかについて説明する。図８に模式図を示した。図８は、係合孔２３ｇ、２６ｇを具備する片２３ａ、２６ａ、及び上障子３０を模式的に示した図で、図８（ａ）は正常に作動する場合を表しており、図８（ｂ）はワイヤ７３が切れた不具合を生じた場合を表している。
【００５０】
開口部装置１が正常な状態にある場合に、上障子３０を図８（ａ）の左側の図から右側の図のように下げたときを考える。この場合には、上障子３０は、左右のワイヤ７３、７４により吊られており平衡が保たれているため、上部ガイド３６、３７は円滑にガイド溝２３ｐ、２６ｐ内を移動することが可能である。従って、下障子５０と合わせて上障子３０の移動も円滑（通常）に行われる。
【００５１】
一方、図８（ｂ）に示したようにワイヤ７３が切れる不具合が生じ、ワイヤ７４のみで上障子３０及び下障子５０が吊られている例を考える。このときには、図８（ｂ）の左側の図のように、上障子３０は平衡を失って傾いた状態となる。すると上障子３０の上部ガイド３６は、片２３ａに常に接触して押圧するようにガイド溝２３ｐ内を移動する。この状態で下障子５０を操作し、上障子３０を下げると上部ガイド３６が係合孔２３ｇに達したとき、図８（ｂ）の右側の図に示したように上部ガイド３６は係合孔２３ｇに入り、係合する。これにより、上障子３０、及びこれに連動する下障子５０の移動が中断される。従って使用者は開口部装置１の不具合に気づくことができ、他方のワイヤ７４が切れて可動障子の落下を予防することが可能となる。
【００５２】
このように、上部ガイドは係合孔に係合する形状であればよい。従って本実施形態のように、正面視で矩形である形状（図９（ａ））の他、図９（ｂ）に示した上部ガイド３６’ように上部にテーパを形成したものであってもよい。これによれば、修理等をするまでの間の一時的に図８（ｂ）の姿勢から手動で上障子３０を図８（ａ）の姿勢に戻すとき、係合孔２８ｇから上部ガイド３６を離脱させることが容易となる。また、一方で、例えば図９（ｃ）示した上部ガイド３６’’の形状のような鉤型であれば、係合をより強固なものとすることができる。
【００５３】
上記の実施形態では、上障子の上部ガイドとスイング枠体のガイド溝の係合孔との関係により開口部装置の不具合を認識することができる構造として説明した。しかし、これに限定されるものではなく、係合孔を他のガイド溝に設けることによって、他のガイドとガイド溝との関係により不具合を認識することができるように構成してもよい。
【００５４】
また、本実施形態では、スイング枠体の枠内に設けられた上げ下げ可能な障子について説明したが、固定枠体の枠内に設けられた上げ下げ可能な障子であってもよく、また、バランサ方式の上げ下げ障子にも適用することが可能である。
さらに、本実施形態では、ピボット軸を用いたスイング枠体による開口部装置について説明したが、これに限定されるものではなく、いわゆる吊丁番を用いたスイング枠体による開口部装置であってもよい。また、引き戸式に開閉可能な枠体による開口部装置であってもよく、開閉の態様も本実施形態に限定されるものではない。
【００５５】
以上、現時点において、実践的でありかつ好ましいと思われる実施形態に関連して本発明を説明したが、本発明は、本願明細書中に開示された実施形態に限定されるものではなく、請求の範囲及び明細書全体から読み取れる発明の要旨あるいはは思想に反しない範囲で適宜変更可能であり、そのような変更を伴う開口部装置もまた本発明の技術的範囲に包含されるものとして理解されなければならない。
【符号の説明】
【００５６】
１  開口部装置
１０  固定枠体
２０  スイング枠体（枠体）
２１  吊元側縦枠（縦枠）
２２  軸枠側部材
２３  ガイドレール部材
２３ｇ  係合孔
２３ｐ、２３ｑ  ガイド溝
２４  戸先側縦枠（縦枠）
２５  戸先枠部材
２６  ガイドレール部材
２６ｇ  係合孔
２６ｐ、２６ｑ  ガイド溝
２７  スイング上横枠（横枠）
２８  スイング下横枠（横枠）
３０  上障子（可動障子）
３６、３７、３８、３９  ガイド
５０  下障子
５６、５７、５８、５９  ガイド
【図１】
2010275788.tif 000003
【図２】
2010275788.tif 000004
【図３】
2010275788.tif 000005
【図４】
2010275788.tif 000006
【図５】
2010275788.tif 000007
【図６】
2010275788.tif 000008
【図７】
2010275788.tif 000009
【図８】
2010275788.tif 000010
【図９】
2010275788.tif 000011